(57)【特許請求の範囲】
【請求項１】
可撓性を有し且つその上辺部が耕耘爪の上方を覆うカバーの後端部に連結された横長の整地板と、前記整地板の下辺部の横方向中央部に設けられた該横方向に幅広の中部材に接触して該横方向中央部が前記カバーの後方に移動するのを規制する規制部材とを備えて、
前記中部材の右側及び左側に隣接する部分のそれぞれに、下向きに開放された切欠き部を形成し、
前記切欠き部における横方向中央側の第１内辺部及び前記第１内辺部に対向する横方向外側の第２内辺部において、前記第１及び第２内辺部に沿う仮想延長線が前記整地板の右及び左の横辺部の上端部のそれぞれに向かうように、前記切欠き部を斜め横上向き形状に構成してあるロータリ耕耘装置。
【請求項２】
前記整地板の下辺部に沿った横向き姿勢で横方向に並設されて取り付けられた状態、及び前記整地板の横方向の中央部に縦向き姿勢で取り付けられた状態に姿勢変更自在な２枚の支持板を、前記整地板に備える請求項１に記載のロータリ耕耘装置。
【請求項３】
前記切欠き部が、横向き姿勢にある前記２枚の支持板によって覆われるように構成される請求項２に記載のロータリ耕耘装置。
【発明の詳細な説明】
【技術分野】
【０００１】
本発明は、可撓性を有し且つその上辺部が耕耘爪の上方を覆うカバーの後端部に連結された横長の整地板と、前記整地板の下辺部の横方向中央部に接触して前記整地板の下辺部の横方向中央部が前記カバーの後方に移動するのを規制する規制部材とを備えるロータリ耕耘装置に関する。
【背景技術】
【０００２】
上記ロータリ耕耘装置は、その規制部材による規制を解除して、耕起した土を整地板の下辺部で平らにならす均平作業と、規制部材で整地板の下辺部の横方向中央部の移動を規制し、整地板の一方及び他方の横側部を斜め後方に折れ曲がるようにして、ロータリ耕耘装置の左右両側に畝を形成する畝立て作業とを実施することができる（特許文献１参照）。
【先行技術文献】
【特許文献】
【０００３】
【特許文献１】特開２００９−２２５７３１号公報
【発明の概要】
【発明が解決しようとする課題】
【０００４】
上記従来のロータリ耕耘装置では、粘土質などの重い土ではきちんとした畝を形成することができるが、例えば、火山灰で構成される土など、柔らかくて軽い土壌において畝立て作業を実施する場合においては、整地板が充分な土圧を受けることができないために、その一方及び他方の横側部が斜め後方に折れ曲がらず、きちんとしたきれいな畝が形成されないことがある。
本発明はこのような問題に鑑みてなされたもので、土壌の性質によらず、常にきれいな畝を形成することができるロータリ耕耘装置を提供することを目的とする。
【課題を解決するための手段】
【０００５】
本発明に係るロータリ耕耘装置の第１特徴構成は、可撓性を有し且つその上辺部が耕耘爪の上方を覆うカバーの後端部に連結された横長の整地板と、前記整地板の下辺部の横方向中央部に設けられた該横方向に幅広の中部材に接触して該横方向中央部が前記カバーの後方に移動するのを規制する規制部材とを備えて、前記中部材の右側及び左側に隣接する位置する部分のそれぞれに、下向きに開放された切欠き部を形成し、前記切欠き部における横方向中央側の第１内辺部及び前記第１内辺部に対向する横方向外側の第２内辺部において、前記第１及び第２内辺部に沿う仮想延長線が前記整地板の右及び左の横辺部の上端部のそれぞれに向かうように、前記切欠き部を斜め横上向き形状に構成してある点にある。
【０００６】
〔作用及び効果〕
本構成のごとく、中部材の右及び左隣に位置する部分のそれぞれに、下向きに開放された斜め横上向き形状の切欠き部を形成すれば、規制部材で整地板の下辺部の横方向中央部の移動を規制して畝立て作業を実施する際、切欠き部が斜め横上向き形状であるため、整地板の一方及び他方の横側部が斜め後方に折れ曲がる場合に、切欠き部が折れ曲がりの起点になり易く、比較的小さな土圧によって整地板の一方及び他方の横側部が斜め後方に折れ曲がることができる。
さらに、切欠き部の第１及び第２内辺部が、同じ方向（仮想延長線の方向）に沿うように設けてあるため、第１内辺部及び第２内辺部によって正三角形の一角を形成するように構成する場合と比べて、第１内辺部の下端部と第２内辺部の下端部とを互いより近接する状態に設定し易い。そのため、整地板の一方及び他方の横側部が切欠き部を起点として斜め後方に折れ曲がったときに、第２内辺部の下端部が、第１内辺部の下端部から離れずに畝の壁部の下端部分を押さえ付けるような状態となり、その結果、畝における底部の左右の端からの立ち上り部分、即ち、畝の壁部の下端部分がきれいに仕上がる。
以上より、本構成のロータリ耕耘装置によれば、重い土壌だけでなく、柔らかくで軽い土壌において畝立て作業を実施する場合であっても、きれいな畝を形成することができる。
【０００７】
第２特徴構成は、前記整地板の下辺部に沿った横向き姿勢で横方向に並設されて取り付けられた状態、及び前記整地板の横方向の中央部に縦向き姿勢で取り付けられた状態に姿勢変更自在な２枚の支持板を、前記整地板に備える点にある。
【０００８】
〔作用及び効果〕
本構成によれば、２枚の支持板を横向き姿勢にして均平作業を実施すると、整地板の重みだけでなく支持板の重みも加わるため、耕耘地の表面形状をより平らにならし易い。
また、畝立て作業を実施するときは、２枚の支持板を縦向き姿勢にすれば、整地板の一方及び他方の横側部は、これらの支持板に邪魔されることなく斜め後方に折れ曲がることができ、支障なく畝を形成することができる。
【０００９】
第３特徴構成は、前記切欠き部が、横向き姿勢にある前記２枚の支持板によって覆われるように構成される点にある。
【００１０】
〔作用及び効果〕
本構成によれば、切欠き部が横向き姿勢にある２枚の支持板によって覆われるため、均平作業を実施する場合、切欠き部の第１及び第２内辺部のばたつきが抑えられて耕耘地の表面形状がよりきれいな状態となる。
【図面の簡単な説明】
【００１１】
【図１】歩行型作業機の全体側面図である。
【図２】歩行型作業機の全体平面図である。
【図３】ロータリ耕耘装置の縦断側面図である。
【図４】均平作業時のロータリ耕耘装置の背面図である。
【図５】整地板、中部材、及び支持板の要部拡大図（ａ）と縦断側面図（ｂ）である。
【図６】均平作業時のロータリ耕耘装置の斜視図である。
【図７】畝立て作業時のロータリ耕耘装置の縦断側面図である。
【図８】畝立て作業時のロータリ耕耘装置の背面図である。
【図９】畝立て作業時のロータリ耕耘装置の背面図である。
【図１０】規制部材の別実施形態を示した側面図（畝立て作業時）である。
【図１１】規制部材の別実施形態を示した背面図（畝立て作業時）である。
【図１２】規制部材の別実施形態を示した側面図（均平作業時）である。
【発明を実施するための形態】
【００１２】
〔実施形態〕
図１〜図９に基づいて、本発明に係るロータリ耕耘装置８を歩行型作業機に適用した場合の実施形態について説明する。
図１及び図２に示すように、歩行型作業機は、ミッションケース１の下部の右及び左側部に車軸２が備えられ、右及び左の車軸２に走行用の車輪３が連結されており、ミッションケース１の前部に連結された支持フレーム４にエンジン５が支持されて構成されている。
【００１３】
ミッションケース１の上部から斜め後方下方に伝動ケース６が延出されて、伝動ケース６から斜め後方上方に操縦ハンドル７が延出されており、伝動ケース６にロータリ耕耘装置８が備えられている。
【００１４】
図１及び図２に示すように、ロータリ耕耘装置８は、伝動ケース６の下部から右及び左側に駆動軸９が延出されて、右及び左の駆動軸９に複数の正逆転爪１０が固定されており、正逆転爪１０の上方を覆うカバー１１、抵抗棒１２、及び整地部材１７を備えて構成されている。右及び左の駆動軸９及び正逆転爪１０は、通常は正転方向（図３の矢印Ａ１の方向）に回転駆動されるのであり、逆転方向（図３の矢印Ａ２の方向）にも回転駆動することが可能である。
【００１５】
図３及び図４に示すように、カバー１１は、半円筒状の天井部１１ａの右及び左側部に、扇形状の横壁部１１ｂが連結されて構成され、伝動ケース６の上方、右及び左の駆動軸９及び正逆転爪１０の上方を覆っており、伝動ケース６のブラケット（図示せず）にカバー１１の天井部１１ａが連結されている。
【００１６】
図３及び図４に示すように、伝動ケース６に固定されたブラケット１３が後方に延出され、幅狭の角パイプ状のブラケット１４がブラケット１３に固定されて、ブラケット１４が天井部１１ａの開口部から上方に突出している。ブラケット１４の右側面の開口部（図示せず）には、抵抗棒１２をブラケット１４に固定するためのロックボルト１６が設けられており、ブラケット１４の上部の後方側面には、図３の仮想線に示すように正逆転爪１０のメンテナンス等を行う際に整地板１８の中部材２１を掛止することによって整地板１８を捲り上げた状態に保持し得る第１フック部１４ａが設けられている。
【００１７】
図３及び図４に示すように、抵抗棒１２は細長い棒状に構成されており、その下部に板状の規制部材１５が設けられている。規制部材１５には、その一端を上方に折り曲げることで抑え部１５ａが形成されており、その抑え部１５ａの左右中央部の一部をさらに前方に折り曲げることで掛止部１５ｂが形成されている。
【００１８】
抵抗棒１２の上部には、その長手方向に沿って、複数個の固定孔１２ａが開口されている。図３及び図４に示す状態は、抵抗棒１２がブラケット１４に挿入されて、ロックボルト１６が抵抗棒１２の固定孔１２ａの一つに挿入された状態であり、抵抗棒１２がブラケット１４に固定された状態である。この状態で、伝動ケース６の真後ろに抵抗棒１２が位置しており、カバー１１の後端部の左右方向中央部の下方に規制部材１５が位置している。
【００１９】
図３及び図４に示す状態において、右及び左の駆動軸９及び正逆転爪１０を正転方向（図３の矢印Ａ１の方向）に回転駆動しながら前進することにより、圃場の耕耘（耕起）が行われる。抵抗棒１２の下端が圃場に接地することにより、圃場に対するロータリ耕耘装置８の高さが決められて、ロータリ耕耘装置８の耕耘深さが決められる。
【００２０】
本実施形態においては、必要に応じてロータリ耕耘装置８の耕耘深さを変更することができる。例えば、ロータリ耕耘装置８の耕耘深さをより深く設定したいとするなら、ロックボルト１６を回して取り外した後、抵抗棒１２を上方向に移動させ、ロックボルト１６を、抵抗棒１２のより下方に位置する別の固定孔１２ａに再び螺入して抵抗棒１２を固定すれば良い。これにより、ロータリ耕耘装置８に対する抵抗棒１２の高さがより高い位置に変更されるため、ロータリ耕耘装置８の耕耘深さもより深く設定される。一方、ロータリ耕耘装置８の耕耘深さをより浅く設定したいとするなら、ロックボルト１６を回して取り外した後、抵抗棒１２を下方向に移動させ、ロックボルト１６を、抵抗棒１２のより上方に位置する別の固定孔１２ａに再び螺入して抵抗棒１２を固定すれば良い。
【００２１】
図２、図３、図４に示すように、整地部材１７は、可撓性を有するゴム板等により構成される横長状（長方形状）の整地板１８と、金属製の中部材２１と、金属製で長板状の２枚の支持板２５，２５とを備えて構成されている。尚、中部材２１及び支持板２５の材質としては金属製に限らず、例えば、硬質の樹脂板（透明板、着色板等）等を採用しても良い。
【００２２】
整地板１８の上辺部１８ａが、天井部１１ａの後端部１１ｃと略同じ長さに設定されており、天井部１１ａの後端部１１ｃの上面に沿って、整地板１８の上辺部１８ａが載せ付けられており、整地板１８の上辺部１８ａと略同じ長さを備えた固定部材１９（金属製の細長い平板）が載せ付けられている。
【００２３】
天井部１１ａの後端部１１ｃと、整地板１８の上辺部１８ａと、固定部材１９とに亘って貫通させた４つのボルト２０のそれぞれを、整地板１８の裏面側からナット２２で締結することによって、整地板１８の上辺部１８ａが天井部１１ａの後端部１１ｃに横方向に沿って連結される。尚、本明細書中、整地板１８の表面を歩行型作業機の後方に面する側とし、裏面をロータリ耕耘装置８に面する側とする。
【００２４】
図４に示すように、中部材２１は、整地板１８の表面側の下辺部の横方向中央部に設けられている。図４及び図５（ａ）に示すように、中部材２１は、その中央部と、整地板１８の下辺部の横方向中央部とに亘って貫通させた２つのボルト２３のそれぞれを、整地板１８の裏面側からナット（図示せず）で締結することで固定される。
【００２５】
図４及び図５（ａ）に示すように、中部材２１の左右両側には、第１頭付きピン２７と第２頭付きピン２８が、図４及び図５（ａ）の紙面の上下方向に並設されており、中部材２１の下端部には、鋸歯状の整地部２１ａが設けられている。
【００２６】
図５（ｂ）に示すように、第１頭付きピン２７の先端部の側面に、軸径方向に貫通する第１ピン貫通孔２７ａを設けており、第２頭付きピン２８の先端部の側面にも同様に、軸径方向に貫通する第２ピン貫通孔２８ａを設けている。
【００２７】
図４及び図５（ａ）に示すように、整地部２１ａの横方向中央には正方形の貫通孔２１ｂが設けられており、図３及び図７に示すように、この中部材２１の貫通孔２１ｂを、ブラケット１４の第１フック部１４ａ、及び規制部材１５の掛止部１５ｂのそれぞれに着脱自在に掛止させることができるように構成されている。
【００２８】
図４及び図５（ａ），（ｂ）に示すように、支持板２５には、第１頭付きピン２７を挿通させる長孔２５ａと、第２頭付きピン２８を挿通させる円弧長孔２５ｄと、均平作業時の土圧を受けて中部材２１と当接したときの反力受けとなる受け部２５ｂと、鋸歯状の整地部２５ｆとを設けている。
【００２９】
円弧長孔２５ｄは、図５（ａ）の第１頭付きピン２７の位置に相当する仮想点Ｐ１を中心として長孔２５ａの周りに円弧状に開口された長孔であって、支持板２５を中部材２１に取り付けたときに長孔２５ａの上側に位置するように設けられている。円弧長孔２５ｄの一端には、支持板２５の長辺方向に長い長孔部２５ｅが形成されており、長孔部２５ｅは支持板２５を縦向き姿勢に保持する機能を有する。
【００３０】
２枚の支持板２５は、以下に示すようにして中部材２１に取り付けられる。先ず２枚の支持板２５の端部のそれぞれを中部材２１の左右両側に配置し、各支持板２５の長孔２５ａ及び円弧長孔２５ｄのそれぞれに、第１頭付きピン２７及び第２頭付きピン２８を挿通させる。
【００３１】
長孔２５ａから出ている第１頭付きピン２７の先端部に、長孔２５ａの幅よりも大きな外径を有する第１平座金２９を取り付けて第１頭付きピン２７の第１ピン貫通孔２７ａに第１ベータピン３１の一端を差し込むと共に、円弧長孔２５ｄから出ている第２頭付きピン２８の先端部にも同様に、円弧長孔２５ｄの幅よりも大きな外径を有する第２平座金３０を取り付けて、第２頭付きピン２８の第２ピン貫通孔２８ａに、第２ベータピン３２の一端を差し込む。このとき、第１平座金２９は、第１ベータピン３１と支持板２５との間に位置し、第２平座金３０は第２ベータピン３２と支持板２５との間に位置する。
【００３２】
第１頭付きピン２７は、第１ベータピン３１と第１平座金２９から構成される第１抜け止め部によって、長孔２５ａから抜けないように抜け止めされており、第２頭付きピン２８についても同様に、第２ベータピン３２と第２平座金３０から構成される第２抜け止め部によって、円弧長孔２５ｄから抜けないように抜け止めされている。
【００３３】
上記構成により、右及び左の支持板２５，２５は、第１及び第２頭付きピン２７,２８の軸方向に抜け止めされた状態で中部材２１に支持されており、第１頭付きピン２７の軸を回動支点として、支持板２５を円弧長孔２５ｄに沿って回動させることによって、第２頭付きピン２８の軸が円弧長孔２５ｄに沿って案内される。その結果、右及び左の支持板２５，２５は、図４及び図６に示すように整地板１８の下辺部に沿った横向き姿勢で横方向に並設した状態、又は図８及び図９に示すように整地板１８の横方向の中央部に縦向き姿勢とした状態にスムーズに姿勢変更することができるように構成される。
【００３４】
図８に示すように、整地板１８の下辺部１８ｂの横方向中央部に設けられている中部材２１の右側及び左側のそれぞれに、下向きに開放された切欠き部２６，２６が形成されている。
【００３５】
各切欠き部２６は、横方向中央側の第１内辺部２６ａと、該第１内辺部２６ａに対向する横方向外側の第２内辺部２６ｂとを備える。そして、第１内辺部２６ａ及び第２内辺部２６ｂに沿う仮想延長線Ｂ１が、整地板１８の右及び左の横辺部１８ｃの上端部のそれぞれに向かうように、斜め横上向き形状（上側（奥側）ほど幅狭となる形状（略台形形状））に構成されている。第１内辺部２６ａと第２内辺部２６ｂとは、斜め上向きに湾曲する円弧部２６ｃを介して連結される。尚、切欠き部２６の第１及び第２内辺部２６ａ，２６ｂは、互いに平行となるように構成しても良い。
【００３６】
次に、均平作業について説明する。
図４，図５，図６に示すように、均平作業を行う場合、縦向き姿勢にある右及び左の支持板２５，２５を、第１頭付きピン２７の軸を回動支点として、円弧長孔２５ｄに沿って下方向に回動させる。これにより右及び左の支持板２５，２５を整地板１８の下辺部１８ｂに沿った横向き姿勢で横方向に並設させて、各支持板２５の円弧長孔２５ｄの端部を、中部材２１の第２頭付きピン２８に当接させる。このとき、図４に示すように中部材２１の整地部２１ａと、右及び左の支持板２５，２５のそれぞれの整地部２５ｆとが直線状に連設される。
【００３７】
均平作業においては、中部材２１の貫通孔２１ｂを、規制部材１５の掛止部１５ｂには掛止させずに取り外した状態としておく。これにより、図４，図５，図６に示すように、整地板１８の下辺部１８ｂが、２枚の支持板２５により支持された状態でカバー１１の後端部１１ｃから垂れ下がる状態となる。そして、右及び左の切欠き部２６，２６のそれぞれが、右及び左の支持板２５，２５によって覆われる。
【００３８】
図６に示すように、機体の前進に伴い、ロータリ耕耘装置８において、右及び左の駆動軸９及び正逆転爪１０を正転方向（図３の矢印Ａ１の方向）に回転駆動することにより、耕起された土が整地板１８の裏面により受け止められて、整地板１８の全体が後方に移動し、整地板１８の下辺部１８ｂに設けられている中部材２１の整地部２１ａと、２枚の支持板２５の整地部２５ｆによって均平面が形成される。
【００３９】
次に、畝立て作業について説明する。
図７及び図８に示すように、畝立て作業を行う場合、横向き姿勢にある２枚の支持板２５を、第１頭付きピン２７の軸を回動支点として、円弧長孔２５ｄに沿って上方向に回動させることによって、整地板１８の横方向の中央部に縦向き姿勢として、中部材２１の第２頭付きピン２８を円弧長孔２５ｄの長孔部２５ｅに掛止させる。これにより、２枚の支持板２５が縦向き姿勢に保持される。尚、図８に示すように、本実施形態においては、縦向き姿勢にある支持板２５の整地部２５ｆに連設する傾斜部分２５ｇ、中部材２１の整地部２１ａの端の部分２１ｃ、並びに切欠き部２６の第１及び第２内辺部２６ａ，２６ｂが、同じ方向（仮想延長線Ｂ１の方向）に沿うように設けてある。
【００４０】
畝立て作業においては、規制部材１５の掛止部１５ｂを、中部材２１の貫通孔２１ｂに挿入して掛止させることによって、中部材２１と規制部材１５とを連結状態にしておく。
これにより、整地板１８の下辺部１８ｂの横方向中央部の後方への移動が規制されるため、図７及び図８に示すように、機体の前進に伴って、正逆転爪１０の正転方向（図７の矢印Ａ１の方向）の回転駆動によって耕起された土が整地板１８により受け止められると、整地板１８の下辺部１８ｂの横方向中央部（中部材２１）がカバー１１の後方に移動せず、整地板１８の一方及び他方の横側部が後方に移動することになる。
【００４１】
その結果、図９に示すように、整地板１８における仮想延長線Ｂ１（図４及び図８参照）を折り曲げ線として、整地板１８の一方及び他方の横側部が斜めに後方に折れ曲がるような状態となる。このとき、整地板１８の下辺部１８ｂに、下向きに開放された斜め横上向き形状の切欠き部２６，２６が形成されているため、整地板１８の一方及び他方の横側部が斜め後方に折れ曲がる場合に切欠き部２６，２６が折れ曲がりの起点になり易く、比較的小さな土圧によっても整地板１８の一方及び他方の横側部が斜め後方に折れ曲がることができる。尚、規制部材１５の抑え部１５ａが中部材２１を後方から抑える状態となるため、畝立て作業中の中部材２１のガタ付きが抑えられる。これにより、中部材２１が規制部材１５の掛止部１５ｂから外れ難いものとなる。
【００４２】
そして、図９に示すように、整地板１８の下辺部１８ｂの左右中央部と中部材２１によって畝Ｃの底部Ｃ１が形成され、整地板１８の折れ曲がった一方及び他方の横側部によって、右及び左の横側の畝Ｃの壁部Ｃ２が形成される。
【００４３】
このとき、切欠き部２６の第１及び第２内辺部２６ａ，２６ｂが、同じ方向（仮想延長線Ｂ１の方向）に沿うように設けてあるため、第１及び第２内辺部２６ａ，２６ｂによって正三角形の一角を形成するように構成する場合と比べて、第１内辺部２６ａの下端部２６ｅと第２内辺部２６ｂの下端部２６ｄとを互いより近接する状態に設定し易い。そのため、整地板１８の一方及び他方の横側部が切欠き部２６を起点として斜め後方に折れ曲がったときに、第２内辺部２６ｂの下端部２６ｄが、第１内辺部２６ａの下端部２６ｅから離れずに畝Ｃの壁部Ｃ２の下端部分を押さえ付けるような状態となり、その結果、畝Ｃにおける底部Ｃ１の左右の端からの立ち上り部分、即ち、畝Ｃの壁部Ｃ２の下端部分がきれいに仕上がる。
【００４４】
〔別実施形態〕
図１０〜図１２に示すように、前述の実施形態に係る切欠き部２６を、カバー１１の後端部に移動用車輪３４を備える歩行型作業機の整地板１８に設けても良い。移動用車輪３４は、左右向きの支点３７周りでアーム３５の下端部に上下揺動自在に支持されており、支点３７周りに折り畳むことができる。アーム３５は、その上端部が支持軸３６の前後軸心周りに左右に回動自在でかつ回動位置を保持自在に構成されている。尚、当該別実施形態においては、支持板２５を設けない構成としても良い。
図１０及び図１１は、畝立て作業時の状態を示すものであり、このときのアーム３５は前述の実施形態における規制部材１５と同様に機能し、整地板１８の下辺部１８ｂの横方向中央部に設けられた中部材２１と接触して、中部材２１がカバー１１の後方に移動するのを規制する。
図１２は、均平作業時の状態を示すものであり、このときの移動用車輪３４及びアーム３５は水平方向に保持される。また、移動時には図１０の二点鎖線に示すように、移動用車輪３４を下向きに設定する。
【産業上の利用可能性】
【００４５】
以上説明したように、本発明は、走行用の車輪とロータリ耕耘装置とを別々に備えた歩行型作業機ばかりではなく、走行用の車輪を廃止し、右及び左の車軸に正逆転爪を連結してロータリ耕耘装置を構成した歩行型作業機や、乗用型のトラクタに装備されるロータリ耕耘装置に使用される整地部材に有用である。
【符号の説明】
【００４６】
１０  耕耘爪
１１  カバー
１１ｃ  後端部
１５  規制部材
１８  整地板
１８ａ  上辺部
１８ｂ  下辺部
１８ｃ  横辺部
２５  支持板
２６  切欠き部
２６ａ  第１内辺部
２６ｂ  第２内辺部
Ｂ１  仮想延長線
【図１】
0005432828.tif 000002
【図２】
0005432828.tif 000003
【図３】
0005432828.tif 000004
【図４】
0005432828.tif 000005
【図５】
0005432828.tif 000006
【図６】
0005432828.tif 000007
【図７】
0005432828.tif 000008
【図８】
0005432828.tif 000009
【図９】
0005432828.tif 000010
【図１０】
0005432828.tif 000011
【図１１】
0005432828.tif 000012
【図１２】
0005432828.tif 000013